(57)【要約】【課題】ＩＥＥＥ１３９４シリアルバスに接続されるディジタルテレビジョン受像機（ＤＴＶ）において、ユーザ所望の連続番組のうちのある回の番組が、何らかの理由で放送されなかった場合でも、該当の回の番組が録画漏れの状態になってしまうことを防ぐ。【解決手段】ＩＥＥＥ１３９４ネットワーク８上の自機を含む全てのチューナ回路を有する機器で受信可能な番組の中から、ユーザにより入力されたキーワードに合致する番組を検索して（Ｓ３）、この検索の結果、見つかった番組の一覧表に含まれる番組についての予約録画処理を実行するようにした（Ｓ５乃至Ｓ９）。これにより、ユーザ所望の連続番組のうちのある回の番組が、何らかの理由で放送されなかった場合でも、ネットワーク上の他のチューナ回路により受信可能な種類のディジタル放送で、該当の回の番組が放送される場合には、該当の回の番組の予約録画を行うことができる。【選択図】図４
2006128879.tif 000002
【特許請求の範囲】
【請求項１】
ＩＥＥＥ１３９４用の制御コマンドによって録画や再生を行うことが可能なハードディスクレコーダ、及びチューナ機能を有する機器とＩＥＥＥ１３９４シリアルバスを介して接続され、
前記ＩＥＥＥ１３９４シリアルバスを介して接続されている自機を含むＩＥＥＥ１３９４ネットワーク上の機器が有するチューナ回路には、複数の種類のチューナ回路が含まれており、
前記複数の種類のチューナ回路により受信可能な全ての番組の中から、予約録画の対象となる番組を選択するための選択手段と、
前記選択手段により選択された番組の放送開始の予定日時になったことを検知する予定日時検知手段と、
前記予定日時検知手段により放送開始の予定日時になったと検知されたときに、該当の番組の受信が可能なチューナ回路を有する機器に対して、前記選択手段により選択された番組のストリームデータを前記ハードディスクレコーダに送信するように指示すると共に、前記ハードディスクレコーダに対して、前記チューナ回路を有する機器から送信されるストリームデータを録画するように指示して、予約録画処理を実行する予約録画実行手段とを備えたＩＥＥＥ１３９４シリアルバスに接続されるディジタルテレビジョン受像機において、
前記選択手段は、
ユーザ所望の連続番組に関する番組名や出演者等のキーワードを入力するためのキーワード入力手段と、
前記ＩＥＥＥ１３９４ネットワーク上の全てのチューナ回路を有する機器から受信した番組配列情報、及び自機のチューナ回路により受信した番組配列情報に含まれる、各番組の番組名や出演者等の情報と、前記キーワード入力手段により入力された番組名や出演者等のキーワードとをマッチングさせて、前記ＩＥＥＥ１３９４ネットワーク上の自機を含む全てのチューナ回路を有する機器で受信可能な番組の中から、前記キーワードに合致する番組を検索する連続番組検索手段と、
前記連続番組検索手段による検索の結果、見つかった番組の一覧表を表示する表示手段と、
前記表示手段に表示された一覧表に含まれる番組についての録画の予約を指示するための予約指示手段とから構成され、
前記予約指示手段により録画の予約が指示されたときに、前記表示手段に表示された一覧表の内容を記憶する記憶手段をさらに備え、
前記予約録画実行手段は、前記記憶手段に記憶された番組の一覧表に含まれる番組についての予約録画処理を実行するようにしたことを特徴とするＩＥＥＥ１３９４シリアルバスに接続されるディジタルテレビジョン受像機。
【請求項２】
ＩＥＥＥ１３９４用の制御コマンドによって録画や再生を行うことが可能なディジタル記録装置、及びチューナ機能を有する機器とＩＥＥＥ１３９４シリアルバスを介して接続され、
前記ＩＥＥＥ１３９４シリアルバスを介して接続されている自機を含むＩＥＥＥ１３９４ネットワーク上の機器が有するチューナ回路には、複数の種類のチューナ回路が含まれており、
前記複数の種類のチューナ回路により受信可能な全ての番組の中から、予約録画の対象となる番組を選択するための選択手段と、
前記選択手段により選択された番組の放送開始の予定日時になったことを検知する予定日時検知手段と、
前記予定日時検知手段により放送開始の予定日時になったと検知されたときに、該当の番組の受信が可能なチューナ回路を有する機器に対して、前記選択手段により選択された番組のストリームデータを前記ディジタル記録装置に送信するように指示すると共に、前記ディジタル記録装置に対して、前記チューナ回路を有する機器から送信されるストリームデータを録画するように指示して、予約録画処理を実行する予約録画実行手段とを備えたＩＥＥＥ１３９４シリアルバスに接続されるコントローラ機器において、
前記選択手段は、
ユーザ所望の連続番組に関するキーワードを入力するためのキーワード入力手段と、
前記ＩＥＥＥ１３９４ネットワーク上の全てのチューナ回路を有する機器から受信した番組配列情報、及び自機のチューナ回路により受信した番組配列情報に含まれる、各番組の情報と、前記キーワード入力手段により入力されたキーワードとをマッチングさせて、前記ＩＥＥＥ１３９４ネットワーク上の自機を含む全てのチューナ回路を有する機器で受信可能な番組の中から、前記キーワードに合致する番組を検索する連続番組検索手段とを含み、
前記連続番組検索手段による検索の結果、見つかった番組の一覧表の内容を記憶する記憶手段をさらに備え、
前記予約録画実行手段は、前記記憶手段に記憶された番組の一覧表に含まれる番組についての予約録画処理を実行するようにしたことを特徴とするＩＥＥＥ１３９４シリアルバスに接続されるコントローラ機器。
【請求項３】
前記選択手段は、前記連続番組検索手段による検索の結果、見つかった番組の一覧表を表示する表示手段と、前記表示手段に表示された一覧表に含まれる番組についての録画の予約を指示するための予約指示手段とをさらに含むことを特徴とする請求項２に記載のＩＥＥＥ１３９４シリアルバスに接続されるコントローラ機器。
【発明の詳細な説明】
【技術分野】
【０００１】
本発明は、ハードディスクレコーダ等のディジタル記録装置とＩＥＥＥ１３９４シリアルバスを介して接続可能なディジタルテレビジョン受像機等のコントローラ機器に関する。
【背景技術】
【０００２】
従来、ハードディスクレコーダ等のディジタル記録装置とＩＥＥＥ１３９４シリアルバスを介して接続されたディジタルテレビジョン受像機において、連続番組の録画を予約する際には、ユーザは、ディジタルテレビジョン受像機に内蔵されたチューナ回路により受信可能な種類のディジタル放送の番組配列情報に含まれる番組の中から、ユーザ所望の連続番組を構成する各回の番組を全て選択して、これらの番組の録画を予約する必要があった。ところが、上記のような連続番組の録画予約方法では、予約録画の対象となる番組が、ディジタルテレビジョン受像機に内蔵されたチューナ回路により受信可能な種類のディジタル放送の番組に限られてしまうため、例えば、予約録画の対象となる連続番組が、再放送であり、ディジタルテレビジョン受像機に内蔵されたチューナ回路により受信可能な種類のディジタル放送において、該当の連続番組のうちのある回の番組が特別番組のせいで放送されない場合には、該当の連続番組のうちのある回の番組だけが録画漏れの状態になってしまう。
【０００３】
ところで、ＩＥＥＥ１３９４シリアルバスを介して接続されたＡＶ機器の分野において、ＡＶ機器同士が連携してタイマー予約できるようにしたものが知られている（特許文献１参照）。また、この種の機器において、ユーザにより選択されたコンテンツが記録されているＡＶ機器の識別番号を特定し、この識別番号を有するＡＶ機器から機器制御用のプログラムを取得して、このプログラムを実行するようにしたものが知られている（特許文献２参照）。さらにまた、ＩＥＥＥ１３９４シリアルバスを介して接続された外部機器からの要求に応じて、予約処理を行うことが可能な記録再生装置が知られている（特許文献３参照）。しかし、上記特許文献１乃至３に示される発明では、上記の録画漏れの問題を解決することはできない。
【特許文献１】特開平１１−１７７９１９号公報
【特許文献２】特開２００３−１８５１５号公報
【特許文献３】特開２００３−２８９４８０号公報
【発明の開示】
【発明が解決しようとする課題】
【０００４】
本発明は、上記の問題を解決するためになされたものであり、あるチューナ回路により受信可能な種類のディジタル放送において、ユーザ所望の連続番組のうちのある回の番組が、何らかの理由で放送されない場合でも、該当の回の番組が録画漏れの状態になってしまうことを防ぐことが可能なＩＥＥＥ１３９４シリアルバスに接続されるディジタルテレビジョン受像機、及びＩＥＥＥ１３９４シリアルバスに接続されるコントローラ機器を提供することを目的とする。
【課題を解決するための手段】
【０００５】
上記目的を達成するために、請求項１の発明は、ＩＥＥＥ１３９４用の制御コマンドによって録画や再生を行うことが可能なハードディスクレコーダ、及びチューナ機能を有する機器とＩＥＥＥ１３９４シリアルバスを介して接続され、前記ＩＥＥＥ１３９４シリアルバスを介して接続されている自機を含むＩＥＥＥ１３９４ネットワーク上の機器が有するチューナ回路には、複数の種類のチューナ回路が含まれており、前記複数の種類のチューナ回路により受信可能な全ての番組の中から、予約録画の対象となる番組を選択するための選択手段と、前記選択手段により選択された番組の放送開始の予定日時になったことを検知する予定日時検知手段と、前記予定日時検知手段により放送開始の予定日時になったと検知されたときに、該当の番組の受信が可能なチューナ回路を有する機器に対して、前記選択手段により選択された番組のストリームデータを前記ハードディスクレコーダに送信するように指示すると共に、前記ハードディスクレコーダに対して、前記チューナ回路を有する機器から送信されるストリームデータを録画するように指示して、予約録画処理を実行する予約録画実行手段とを備えたＩＥＥＥ１３９４シリアルバスに接続されるディジタルテレビジョン受像機において、前記選択手段は、ユーザ所望の連続番組に関する番組名や出演者等のキーワードを入力するためのキーワード入力手段と、前記ＩＥＥＥ１３９４ネットワーク上の全てのチューナ回路を有する機器から受信した番組配列情報、及び自機のチューナ回路により受信した番組配列情報に含まれる、各番組の番組名や出演者等の情報と、前記キーワード入力手段により入力された番組名や出演者等のキーワードとをマッチングさせて、前記ＩＥＥＥ１３９４ネットワーク上の自機を含む全てのチューナ回路を有する機器で受信可能な番組の中から、前記キーワードに合致する番組を検索する連続番組検索手段と、前記連続番組検索手段による検索の結果、見つかった番組の一覧表を表示する表示手段と、前記表示手段に表示された一覧表に含まれる番組についての録画の予約を指示するための予約指示手段とから構成され、前記予約指示手段により録画の予約が指示されたときに、前記表示手段に表示された一覧表の内容を記憶する記憶手段をさらに備え、前記予約録画実行手段は、前記記憶手段に記憶された番組の一覧表に含まれる番組についての予約録画処理を実行するようにしたものである。
【０００６】
請求項２の発明は、ＩＥＥＥ１３９４用の制御コマンドによって録画や再生を行うことが可能なディジタル記録装置、及びチューナ機能を有する機器とＩＥＥＥ１３９４シリアルバスを介して接続され、前記ＩＥＥＥ１３９４シリアルバスを介して接続されている自機を含むＩＥＥＥ１３９４ネットワーク上の機器が有するチューナ回路には、複数の種類のチューナ回路が含まれており、前記複数の種類のチューナ回路により受信可能な全ての番組の中から、予約録画の対象となる番組を選択するための選択手段と、前記選択手段により選択された番組の放送開始の予定日時になったことを検知する予定日時検知手段と、前記予定日時検知手段により放送開始の予定日時になったと検知されたときに、該当の番組の受信が可能なチューナ回路を有する機器に対して、前記選択手段により選択された番組のストリームデータを前記ディジタル記録装置に送信するように指示すると共に、前記ディジタル記録装置に対して、前記チューナ回路を有する機器から送信されるストリームデータを録画するように指示して、予約録画処理を実行する予約録画実行手段とを備えたＩＥＥＥ１３９４シリアルバスに接続されるコントローラ機器において、前記選択手段は、ユーザ所望の連続番組に関するキーワードを入力するためのキーワード入力手段と、前記ＩＥＥＥ１３９４ネットワーク上の全てのチューナ回路を有する機器から受信した番組配列情報、及び自機のチューナ回路により受信した番組配列情報に含まれる、各番組の情報と、前記キーワード入力手段により入力されたキーワードとをマッチングさせて、前記ＩＥＥＥ１３９４ネットワーク上の自機を含む全てのチューナ回路を有する機器で受信可能な番組の中から、前記キーワードに合致する番組を検索する連続番組検索手段とを含み、前記連続番組検索手段による検索の結果、見つかった番組の一覧表の内容を記憶する記憶手段をさらに備え、前記予約録画実行手段は、前記記憶手段に記憶された番組の一覧表に含まれる番組についての予約録画処理を実行するようにしたものである。
【０００７】
請求項３の発明は、請求項２に記載のＩＥＥＥ１３９４シリアルバスに接続されるコントローラ機器において、前記選択手段は、前記連続番組検索手段による検索の結果、見つかった番組の一覧表を表示する表示手段と、前記表示手段に表示された一覧表に含まれる番組についての録画の予約を指示するための予約指示手段とをさらに含むものである。
【発明の効果】
【０００８】
請求項１の発明によれば、ＩＥＥＥ１３９４ネットワーク上の自機を含む全てのチューナ回路を有する機器で受信可能な番組の中から、ユーザにより入力されたキーワードに合致する番組を検索して、この検索の結果、見つかった番組の一覧表に含まれる番組についての予約録画処理を実行するようにした。これにより、例えば、ディジタルテレビジョン受像機に内蔵されたチューナ回路により受信可能な種類のディジタル放送では、ユーザ所望の連続番組のうちのある回の番組が、何らかの理由で放送されない場合でも、ＩＥＥＥ１３９４ネットワーク上の他のチューナ回路により受信可能な種類のディジタル放送では、該当の回の番組が放送される場合には、該当の回の番組の予約録画を行うことができるので、該当の回の番組が録画漏れの状態になってしまう頻度を減らすことができる。
【０００９】
また、ＩＥＥＥ１３９４ネットワーク上の全てのチューナ回路を有する機器から受信した番組配列情報、及び自機のチューナ回路により受信した番組配列情報に含まれる、各番組の番組名や出演者等の情報と、ユーザにより入力された番組名や出演者等のキーワードとをマッチングさせて、ＩＥＥＥ１３９４ネットワーク上の自機を含む全てのチューナ回路を有する機器で受信可能な番組の中から、上記のキーワードに合致する番組を検索するようにしたことにより、同時期に、ある連続番組のオリジナル版とリメーク版とが放送されている場合でも、これらのうちのいずれかの連続番組のみを予約録画することができる。
【００１０】
また、ユーザが、キーワードに合致する番組の検索結果の一覧表を確認してから、録画の予約を指示することができるので、ユーザの意に反する番組の予約録画を行ってしまうことを防ぐことができる。
【００１１】
請求項２の発明によれば、ＩＥＥＥ１３９４ネットワーク上の自機を含む全てのチューナ回路を有する機器で受信可能な番組の中から、ユーザにより入力されたキーワードに合致する番組を検索して、この検索の結果、見つかった番組の一覧表に含まれる番組についての予約録画処理を実行するようにした。これにより、例えば、ＩＥＥＥ１３９４ネットワーク上のあるチューナ回路により受信可能な種類のディジタル放送では、ユーザ所望の連続番組のうちのある回の番組が、何らかの理由で放送されない場合でも、ＩＥＥＥ１３９４ネットワーク上の他のチューナ回路により受信可能な種類のディジタル放送では、該当の回の番組が放送される場合には、該当の回の番組の予約録画を行うことができるので、該当の回の番組が録画漏れの状態になってしまう頻度を減らすことができる。
【００１２】
請求項３の発明によれば、ユーザが、キーワードに合致する番組の検索結果の一覧表を確認してから、録画の予約を指示することができるので、ユーザの意に反する番組の予約録画を行ってしまうことを防ぐことができる。
【発明を実施するための最良の形態】
【００１３】
本発明を実施するための最良の形態について図面を参照して説明する。本発明は、ハードディスクレコーダ等のディジタル記録装置とＩＥＥＥ１３９４シリアルバスを介して接続可能なディジタルテレビジョン受像機等のコントローラ機器に関するものである。以下の実施形態では、本発明をディジタルテレビジョン受像機に適用した場合の例について説明する。なお、以下に記載した実施形態は、本発明を網羅するものではなく、本発明は、下記の形態だけに限定されない。
【００１４】
図１は、第１の実施形態によるディジタルテレビジョン受像機と、このディジタルテレビジョン受像機に接続された３つのセットトップボックス、ディジタルテレビジョン受像機、及びＡＶＨＤＤの外観を示す。ディジタルテレビジョン受像機１、２（以下、ＤＴＶという）は、地上波ディジタルテレビジョン放送の受信が可能なチューナ回路を内蔵している。ＤＴＶ１、２は、各セットトップボックス３乃至５（以下、ＳＴＢという）及びＡＶＨＤＤ６に対するコントローラ機器としての役割を果たし得る。また、ＳＴＢ３、４、５は、それぞれＢＳディジタル放送、ＣＳディジタル放送、スカイパーフェクＴＶ放送を受信可能なチューナ回路を内蔵しており、受信した放送信号の中からユーザにより選択されたチャンネルの放送信号を出力するものである。ＡＶＨＤＤ６は、ＩＥＥＥ１３９４用の制御コマンドによってのみ録画や再生を行うことが可能なタイプのハードディスクレコーダである。また、ＤＴＶ１とＤＴＶ２との間、ＤＴＶ１とＳＴＢ３との間、ＳＴＢ３とＳＴＢ４との間、ＳＴＢ４とＳＴＢ５との間、及びＳＴＢ５とＡＶＨＤＤ６との間は、ＩＥＥＥ１３９４シリアルバスケーブル７を用いて接続されている。すなわち、ＤＴＶ１とＤＴＶ２とＳＴＢ３、４、５とＡＶＨＤＤ６とは、ＩＥＥＥ１３９４ネットワーク８を構成している。ユーザは、ＩＥＥＥ１３９４ネットワーク８上の自機を含む全てのチューナ回路を有する機器（ＤＴＶ１、２及びＳＴＢ３、４、５）で受信可能な番組の中から、所望の番組を選択して、選択した番組の予約録画をすることができる。
【００１５】
次に、図２を参照して、上記のＤＴＶ１とＳＴＢ３の電気的ブロック構成について説明する。ＤＴＶ１は、アンテナ４１と接続されており、地上波ディジタルテレビジョン放送受信用のチューナ回路１１と、チューナ回路１１で受信したトランスポートストリームの中からユーザにより選択された番組のビデオパケットやオーディオパケットを抽出するＤＥＭＵＸ１２と、ＤＥＭＵＸ１２から送られたＭＰＥＧ圧縮されたビデオパケットやオーディオパケットをデコードして映像信号や音声信号を再生するＭＰＥＧデコーダ１３と、映像信号を再生表示するためのモニタ部１５とを有している。モニタ部１５は、再生された映像を表示するための画面１６（表示手段）と、再生された音声を出力するためのスピーカ１７とから構成されている。また、ＤＴＶ１は、装置全体の制御を行うためのマイクロプロセッサ１０（予定日時検知手段、予約録画実行手段、連続番組検索手段）と、各種データを記憶するためのメモリ１８（記憶手段）と、バス５０上の他の接続機器との間でデータの送受信を行うためのＩＥＥＥ１３９４インタフェース１９（以下、インタフェースという）と、リモコン２３から送信された赤外線信号を受信する赤外線信号受信部２０とを有している。メモリ１８には、バス５０上の自ノード及び他ノードに関する各種の情報を格納したレジスタ空間２１、及び後述するキーワード検索により見つけられた番組の一覧表のデータを格納した番組一覧ファイル１４等のデータや、後述する連続番組予約録画処理用のプログラムを含む各種プログラムが記憶されている。レジスタ空間２１は、自機（ＤＴＶ１）の性能に関する情報等を格納したコンフィグレーションＲＯＭ２２等より構成されている。
【００１６】
リモコン２３（キーワード入力手段、予約指示手段）は、各種のキーからなるキー部２８と赤外線信号発信部２４とを有している。キー部２８には、電源キー２６、数字入力用のキー２７、カーソルキー２９に加えて、各種メニューを表示するためのメニューキー２５が配設されている。また、請求項における選択手段は、主にリモコン２３と、後述するキーワード入力画面８０（図６参照）及び予約録画番組一覧画面９０（図７参照）より構成される。
【００１７】
また、上記のＳＴＢ３は、装置全体の制御を行うマイクロプロセッサ３０を備えている。このマイクロプロセッサ３０には、チューナ回路３１、ＤＥＭＵＸ３２、ＩＥＥＥ１３９４インタフェース３４（以下、インタフェースと略す）、赤外線信号受信部３５、表示部３６、及びメモリ３７が接続されている。
【００１８】
上記のチューナ回路３１は、ＢＳディジタル放送を受信可能であり、アンテナ４２を介して受信した放送信号の中からユーザにより選択されたチャンネルの放送信号を抽出する。ＤＥＭＵＸ３２は、チューナ回路３１で受信したトランスポートストリームの中からユーザにより選択された番組のビデオパケットやオーディオパケットを抽出する。インタフェース３４は、バス５０上の他の装置との間でデータを送受信するためのインタフェース用の回路である。赤外線信号受信部３５は、リモコン４０から送信された赤外線信号形式の指示信号を受信し、その指示信号を通常のディジタル信号に変換してマイクロプロセッサ３０に送る。表示部３６は、各種のメッセージ等を表示するためのものである。メモリ３７には、バス５０上の自ノード及び他ノードに関する各種の情報を格納したレジスタ空間３８が記憶されている。レジスタ空間３８は、自機（ＳＴＢ３）の性能に関する情報等を格納したコンフィグレーションＲＯＭ３９等より構成されている。リモコン４０については、ＤＴＶ１のリモコン２３と同様な構成であるので、説明を省略する。
【００１９】
なお、図１中のＳＴＢ４、５は、それぞれＣＳディジタル放送、スカイパーフェクＴＶ放送を受信可能なチューナ回路を内蔵しており、このチューナ回路以外の構成については、図２に示されるＳＴＢ３と基本的に同様である。
【００２０】
次に、図３を参照して、上記のＡＶＨＤＤ６の構成について説明する。ＡＶＨＤＤ６は、装置全体の制御を行うマイクロプロセッサ６１と、このマイクロプロセッサ６１の制御用のプログラムやレジスタ空間６７を格納するメモリ６０と、バス５０を介してＤＴＶ１等から制御コマンドやストリームデータ等のデータを受信するためのＩＥＥＥ１３９４インタフェース６３（以下、インタフェースと略す）とを有している。レジスタ空間６７は、自機（ＡＶＨＤＤ６）の性能に関する情報等を格納したコンフィグレーションＲＯＭ６８等より構成されている。また、ＡＶＨＤＤ６は、記録媒体である複数枚のハードディスク６５と、これらのハードディスク６５に対してデータの記録・読取を行う複数の磁気ヘッド６６と、磁気ヘッド６６を駆動するヘッド駆動部６４と、記録するデータ又は読み出したデータを一時的に保存するバッファメモリ６２とを備えている。
【００２１】
次に、図４のフローチャートに加えて、図５乃至図７を参照して、上記のＤＴＶ１によるＡＶＨＤＤ６への連続番組の予約録画処理について説明する。ユーザが、リモコン２３を用いて、図５に示される予約録画設定画面７０をＤＴＶ１の画面１６上に表示して、連続番組予約録画ボタン７１を選択すると、ＤＴＶ１のマイクロプロセッサ１０は、図６に示されるキーワード入力画面８０を画面１６上に表示して、ユーザにキーワードの入力を促すと共に、ＩＥＥＥ１３９４ネットワーク８上の自機を含む全ての機器の中からチューナ回路を有する機器を検索し（Ｓ１）、これら全ての機器から番組配列情報を取得して、その一部をメモリ１８に記憶する。そして、ユーザが、リモコン２３を用いて、キーワード入力画面８０中の番組名キーワード入力欄８１と出演者キーワード入力欄８２とに、連続番組を検索するための番組名のキーワードと出演者のキーワードとを入力すると（Ｓ２でＹＥＳ）、ＤＴＶ１のマイクロプロセッサ１０は、メモリ１８に記憶しておいた番組配列情報に含まれる、各番組の番組名及び出演者の情報と、ユーザが入力した番組名及び出演者のキーワードとをマッチングさせて、ＩＥＥＥ１３９４ネットワーク８上の自機を含む全てのチューナ回路を有する機器で受信可能な番組の中から、上記のキーワードに合致する番組を検索する（Ｓ３）。
【００２２】
上記の検索の結果、キーワードに合致する番組があった場合には（Ｓ４でＹＥＳ）、ＤＴＶ１のマイクロプロセッサ１０は、図７に示されるように、見つかった番組の放送予定日、番組名９２、出演者９３等からなる一覧表９１を含む予約録画番組一覧画面９０を画面１６上に表示して（Ｓ５）、ユーザに一覧表９１に含まれる番組についての録画の予約の指示を促す。そして、ユーザが、リモコン２３を用いて、予約録画番組一覧画面９０上のＹＥＳボタン９４を選択すると（Ｓ６でＹＥＳ）、ＤＴＶ１のマイクロプロセッサ１０は、一覧表９１の内容を番組一覧ファイル１４としてメモリ１８に記憶する。
【００２３】
次に、ＤＴＶ１のマイクロプロセッサ１０は、上記の番組一覧ファイル１４に記憶された各番組の放送予定日及び開始時刻と不図示のタイマから取得した現在時刻とに基いて、放送開始予定日時になったか否かを検知する（Ｓ７）。そして、放送開始予定日時になるまでは（Ｓ７でＮＯ）、番組一覧ファイル１４の内容を一定時間毎に更新して最新にし（Ｓ８）、無駄な予約録画を行わないようにする。また、放送開始予定日時になると（Ｓ７でＹＥＳ）、該当の番組の受信が可能なチューナ回路を有する機器（ＤＴＶ１、２又はＳＴＢ３、４、５）に対して、該当の番組のストリームデータをＡＶＨＤＤ６に送信するように指示すると共に、ＡＶＨＤＤ６に対して、上記のチューナ回路を有する機器から送信されるストリームデータを録画するように指示するためのコマンドを送信して、予約録画処理を実行する（Ｓ９）。
【００２４】
上記Ｓ９の処理を詳述すると、ＤＴＶ１のマイクロプロセッサ１０は、放送開始予定日時になると、該当の番組の受信が可能なチューナ回路を有する機器とＡＶＨＤＤ６の電源をオンにして、これらの機器の間をポイントツーポイント接続する。そして、該当の番組の受信が可能なチューナ回路を有する機器に、チャンネルを該当の番組が放送されているチャンネルに変更するためのコマンドを送信する。この後、ＤＴＶ１のマイクロプロセッサ１０は、ＡＶＨＤＤ６に対して、上記のチューナ回路を有する機器から送信されるストリームデータを録画するように指示するためのコマンドを送信する。そして、該当の番組が終了すると、ＤＴＶ１のマイクロプロセッサ１０は、ＡＶＨＤＤ６に対して、録画停止のコマンドを送信した後に、上記のポイントツーポイント接続を解除して、上記のチューナ回路を有する機器とＡＶＨＤＤ６の電源をオフにする。
【００２５】
上記のように、本実施形態のＤＴＶ１によれば、ＩＥＥＥ１３９４ネットワーク８上の自機を含む全てのチューナ回路を有する機器で受信可能な番組の中から、ユーザにより入力されたキーワードに合致する番組を検索して、この検索の結果、見つかった番組の一覧表（予約録画番組一覧画面９０中の一覧表９１）に含まれる番組についての予約録画処理を実行するようにした。これにより、例えば、ＤＴＶ１に内蔵されたチューナ回路１１により受信可能な地上波ディジタルテレビジョン放送では、ユーザ所望の連続番組のうちのある回の番組が、何らかの理由で放送されない場合でも、ＩＥＥＥ１３９４ネットワーク８上の他のチューナ回路により受信可能な種類のディジタル放送（ＢＳディジタル放送、ＣＳディジタル放送、スカイパーフェクＴＶ放送）では、該当の回の番組が放送される場合には、該当の回の番組の予約録画を行うことができるので、該当の回の番組が録画漏れの状態になってしまう頻度を減らすことができる。
【００２６】
また、ＩＥＥＥ１３９４ネットワーク８上の全てのチューナ回路を有する機器から受信した番組配列情報、及び自機のチューナ回路により受信した番組配列情報に含まれる、各番組の番組名や出演者等の情報と、ユーザにより入力された番組名や出演者等のキーワードとをマッチングさせて、ＩＥＥＥ１３９４ネットワーク８上の自機を含む全てのチューナ回路を有する機器で受信可能な番組の中から、上記のキーワードに合致する番組を検索するようにしたことにより、同時期に、ある連続番組のオリジナル版とリメーク版とが放送されている場合でも、これらのうちのいずれかの連続番組のみを予約録画することができる。
【００２７】
また、ユーザが、キーワードに合致する番組の検索結果の一覧表９１を確認してから、録画の予約を指示することができるので、ユーザの意に反する番組の予約録画を行ってしまうことを防ぐことができる。
【００２８】
なお、本発明は、上記実施形態に限られるものではなく、様々な変形が可能である。例えば、上記の実施形態では、本発明をＤＴＶに適用した場合の例を示したが、本発明の適用対象はこれに限られず、ＳＴＢ等のコントローラ機器であってもよい。また、上記の実施形態では、ディジタル録画を行う装置がＡＶＨＤＤである場合の例を示したが、これに限られず、Ｄ−ＶＨＳ（Data-Video Home System）形式のディジタルＶＴＲ（Video Tape Recorder）等のディジタル記録装置であってもよい。
【図面の簡単な説明】
【００２９】
【図１】本発明の一実施形態に係るＤＴＶと、このＤＴＶに接続された３つのＳＴＢ、ＤＴＶ、及びＡＶＨＤＤの外観を示す斜視図。
【図２】上記ＤＴＶとＳＴＢの電気的ブロック構成図。
【図３】上記ＡＶＨＤＤの電気的ブロック構成図。
【図４】上記ＤＴＶによるＡＶＨＤＤへの連続番組の予約録画処理を示すフローチャート。
【図５】上記ＤＴＶのモニタ上に表示される予約録画設定画面を示す図。
【図６】上記ＤＴＶのモニタ上に表示されるキーワード入力画面を示す図。
【図７】上記ＤＴＶのモニタ上に表示される予約録画番組一覧画面を示す図。
【符号の説明】
【００３０】
１    ＤＴＶ（ディジタルテレビジョン受像機、コントローラ機器）
２    ＤＴＶ（チューナ機能を有する機器）
３    ＳＴＢ（チューナ機能を有する機器）
４    ＳＴＢ（チューナ機能を有する機器）
５    ＳＴＢ（チューナ機能を有する機器）
６    ＡＶＨＤＤ（ハードディスクレコーダ）
８    ＩＥＥＥ１３９４ネットワーク
１０  マイクロプロセッサ（予定日時検知手段、予約録画実行手段、連続番組検索手段）
１１  チューナ回路
１６  画面（表示手段）
１８  メモリ（記憶手段）
２３  リモコン（キーワード入力手段、予約指示手段）
３１  チューナ回路
５０  バス（ＩＥＥＥ１３９４シリアルバス）
【図１】
2006128879.tif 000003
【図２】
2006128879.tif 000004
【図３】
2006128879.tif 000005
【図４】
2006128879.tif 000006
【図５】
2006128879.tif 000007
【図６】
2006128879.tif 000008
【図７】
2006128879.tif 000009